(57)【要約】【解決手段】ステータ、第一誘導素子、第二誘導素子およびロータにより構成される。ステータは軸方向でロータと枢着し、ステータには複数個の磁極が設けられ、ロータには円になるように駆動磁石と回転周波数磁石が排列して設置される。駆動磁石はロータを駆動するのに用いられる。回転周波数磁石には予定された磁極数を有し、ロータの回転の状況を検出するのに用いられるように構成されている。【効果】周波数分割器の代わりに誘導素子を利用し、誘導素子を対応させて回転周波数磁石に設置することにより、周波数分割器のコストを減らすことができるため、生産コストを低く抑えることができる。誘導素子を利用して回転周波数磁石を検出することにより、モータの回転数の予定周波数規格を直接出力してシステムに応用することができるため、回転数の信号を直接出力させることができる。【選択図】　　図１
0003098275.tif 000002
【実用新案登録請求の範囲】
【請求項１】
ステータ（３０）、第一誘導素子（４０）、第二誘導素子（４）およびロータ（５０）により構成される両誘導素子を有するブラシレス直流モータであって、ステータ（３０）には複数個の磁極（３１）が設けられると共に、ステータ（３０）に駆動部材（３２）が含まれ、第一誘導素子（４０）は駆動部材（３２）に電性により連接され、第二誘導素子（４１）は駆動部材（３２）に電性により連接され、ロータ（５０）は軸方向でステータ（３０）に枢着され、ロータ（５０）には駆動磁石（５１）と回転周波数磁石（５２）が設けられ、ロータ（５０）がステータ（３０）と誘導して回転した時、第一誘導素子（４０）は通過した駆動磁石（５１）の磁極の変化を検出することにより、磁極（３１）を交替に励磁すると同時に、第二誘導素子（４１）は通過した回転周波数磁石（５２）の磁極の変化を検出することにより、ロータ（５０）の回転の状況を出力させるように形成されることを特徴とする両誘導素子を有するブラシレス直流モータ。
【請求項２】
ステータ（３０）は半径方向巻線のタイプに属することを特徴とする請求項１記載の両誘導素子を有するブラシレス直流モータ。
【請求項３】
ステータ（３０）は軸方向巻線のタイプに属し、上磁極片（３０ａ）と下磁極片（３０ｂ）が含まれ、上磁極片（３０ａ）と下磁極片（３０ｂ）が共同でステータ（３０）の磁極（３１）を形成することを特徴とする請求項１記載の両誘導素子を有するブラシレス直流モータ。
【請求項４】
第一誘導素子（４０）は好ましくは垂直に設置するように形成されることを特徴とする請求項１記載の両誘導素子を有するブラシレス直流モータ。
【請求項５】
第二誘導素子（４１）は好ましくは水平に設置するように形成されることを特徴とする請求項１記載の両誘導素子を有するブラシレス直流モータ。
【請求項６】
駆動磁石（５１）と回転周波数磁極（５２）は排列して円になるようにロータ（５０）に設置されることを特徴とする請求項１記載の両誘導素子を有するブラシレス直流モータ。
【考案の詳細な説明】
【０００１】
【考案の属する技術分野】
本考案は、両誘導素子を有するブラシレス直流モータに関するもので、特に両誘導素子を利用してモータのロータの二組の異なる磁極をそれぞれ検出することにより、モータのステータの交替の励磁とモータの回転数の予定周波数規格（ｐｒｅｄｅｔｅｒｍｉｎｅｄ　ｆｒｅｑｕｅｎｃｙ　ｓｐｅｃｉｆｉｃａｔｉｏｎ）を定めることができる両誘導素子を有するブラシレス直流モータに係るものである。
【０００２】
【従来の技術】
従来この種のものにあっては、下記のようなものになっている。
【０００３】
従来のブラシレス直流モータ（ファン）の構造としては、モータの回転数をシステムの参考として出力させることにより、モータの回転数の増加または減少の調整を定めるものである。モータの回転数を出力させるに当たり、一般としてはモータから直接ホール誘導素子のホール電圧信号（ｈａｌｌ　ｖｏｌｔａｇｅ　ｓｉｇｎａｌ）を引き出して回転数の周波数の参考としている。モータの設計上において、ブラシレス直流モータのステータには磁極数（ｐｏｌｅ　ｃｏｕｎｔ）の制限があるため、例えば四極、八極などであるため、モータのロータにも対応するように同じ数の永久磁石を設置しなければならず、例えば四極、八極などである。ホール誘導素子がモータの永久磁石を検出する時、検出されたモータのロータの回転数の周波数は永久磁石の磁極数により定めなければならない。そして、モータの回転数の予定周波数規格を出力してシステムに応用させるべく、モータの制御回路には周波数分割器（ｆｒｅｑｕｅｎｃｙ　ｄｉｖｉｄｅｒ）を増設して回転数の周波数を処理することにより、異なる磁極数のモータは全てモータの回転数の予定周波数規格を出力させることができるようにとしたものがある。
【０００４】
また、従来のブラシレス直流モータの構造としては、図６に示すように、モータの回路には駆動回路１０、誘導素子１１、コイル１２および周波数分割器１３が含まれる。また、図７に示すように、モータにはロータ１４、ステータ座１５および駆動部材１６が含まれる。ロータ１４には環状の永久磁石１４１が設けられ、永久磁石１４１はステータ座１５の外環側を囲むことができ、ロータ１４は中心軸１４２によりステータ座１５に結合される。ステータ座１５そのものにはコイル１２が巻き付けられ、軸管１５１により駆動部材１６と連接することができる。駆動部材１６には駆動回路１０と周波数分割器１３（図示せず）が設けられ、さらに駆動部材１６には他に誘導素子１１が設けられ、誘導素子１１は電性により駆動回路１０に連接され、駆動回路１０は誘導素子１１によりコイル１２の交替の励磁を検出して定める。周波数分割器１３は誘導素子１１に連接されることにより、ホール電圧信号を周波数分割し、それから予定周波数規格を出力してシステムに応用させるようにとしたものがある（例えば、特許文献１を参照）。
【０００５】
【特許文献１】
中華民国專利公報第４７９９０２号
【０００６】
【考案が解決しようとする課題】
上記のような従来のブラシレス直流モータの構造においては、周波数分割器のコストが高く、ブラシレス直流モータが周波数分割器を増設すると、コストが高くなるのは必然的であるため、ブラシレス直流モータには周波数分割器の代わりにコストの低い部材を設置しなければならないという問題点があった。そのため、上記のような従来のブラシレス直流モータの構造をさらに改良しなければならない。
【０００７】
本考案は、このような問題点に鑑みて考案したものであって、その目的とするところは、コストの高い周波数分割器の代わりにコストの低い誘導素子を利用するもので、誘導素子は対応するように回転周波数磁石に設置される。本考案においては誘導素子と回転周波数磁石を増設したが、そのコストは周波数分割器のコストより比較的安くなる両誘導素子を有するブラシレス直流モータを提供しようとするものである。
【０００８】
本考案の第一の目的は、周波数分割器の代わりに誘導素子を利用し、誘導素子は対応するように回転周波数磁石に設置されることにより、周波数分割器のコストを減らすことができるため、生産コストを低く抑えることができる両誘導素子を有するブラシレス直流モータを提供しようとするものである。
【０００９】
本考案の第二の目的は、誘導素子を利用して回転周波数磁石を検出することにより、モータの回転数の予定周波数規格を直接出力してシステムに応用させることができるため、回転数の信号を直接出力させることができる両誘導素子を有するブラシレス直流モータを提供しようとするものである。
【００１０】
【課題を解決するための手段】
上記目的を達成するために、本考案による両誘導素子を有するブラシレス直流モータは、下記のようになるものである。すなわち、
ステータ、第一誘導素子、第二誘導素子およびロータにより構成される。ステータには複数個の磁極が設けられると共に、ステータに駆動部材が含まれる。第一誘導素子は駆動部材に電性により連接される。第二誘導素子は駆動部材に電性により連接される。ロータは軸方向でステータに枢着され、ロータには駆動磁石と回転周波数磁石が設けられる。ロータがステータと誘導して回転した時、第一誘導素子は通過した駆動磁石の磁極の変化を検出することにより、磁極を交替に励磁すると同時に、第二誘導素子は通過した回転周波数磁石の磁極の変化を検出することにより、ロータの回転の状況を出力させるように形成される。
【００１１】
本考案による両誘導素子を有するブラシレス直流モータは、ステータは半径方向巻線のタイプに属することもできる。また、ステータは軸方向巻線のタイプに属し、上磁極片と下磁極片が含まれ、上磁極片と下磁極片が共同でステータの磁極を形成することもできる。また、第一誘導素子は好ましくは垂直に設置するように形成されることもできる。また、第二誘導素子は好ましくは水平に設置するように形成されることもできる。また、駆動磁石と回転周波数磁極は排列して円になるようにロータに設置されることもできる。
【００１２】
【考案の実施の形態】
本考案の実施の形態について、以下、図面を参照して説明する。
【００１３】
【実施形態１】
図１は本考案の実施形態１の両誘導素子を有するブラシレス直流モータによる分解斜視図で、図２は本考案の実施形態１の両誘導素子を有するブラシレス直流モータよる組立てられた状態の側面図で、図３は本考案のブラシレス直流モータのロータの磁極環による展開図である。
【００１４】
図１、２を参照すると、本考案の実施形態１の両誘導素子を有するブラシレス直流モータには主にステータ３０、第一誘導素子４０、第二誘導素子４１およびロータ５０が含まれる。ステータ３０は軸方向でロータ５０と枢着して結合され、ステータ３０は半径方向巻線のタイプに属され、八個の磁極３１と一個の駆動部材３２が含まれる。磁極３１は軸方向で対称するように配設され、そしてステータ３０の外周縁において半径方向へ延伸するように形成される。
【００１５】
再び図１、２を参照すると、第一誘導素子４０と第二誘導素子４１はホールＩＣ素子からなることができると共に、電性により駆動部材３２に連接される。第一誘導素子４０と第二誘導素子４１との間は軸方向において高度の差を有するように形成されると共に、第一誘導素子４０と第二誘導素子４１はそれぞれ半径方向になるようにロータ５０に対応して形成される。
【００１６】
再び図１、２、３を参照すると、ロータ５０には排列して円になるように駆動磁石５１と回転周波数磁極５２が設置される。第一誘導素子４０は駆動磁石５１を検出して誘導電圧を出力させることにより、正確にステータ３０の磁極３１を交替に励磁することができる。同様に、第二誘導素子４１は回転周波数磁極５２を検出して誘導回転電圧を出力させることにより、ロータ５０の回転の状況をシステムまで出力させることができる。
【００１７】
再び図２を参照すると、駆動磁石５１の磁極の数は好ましくはステータ３０の磁極３１の数とは同じになるように形成されるため、両者は互いに誘導し合ってロータ５０が回転するように駆動することができる。回転周波数磁石５２は予定の磁極数の規格（四個）を有するように形成され、上記磁極数は使用上の需要性に応じて適当に調整することができる。
【００１８】
再び図１を参照すると、ロータ５０がステータ３０に相対して回転した時、第一誘導素子４０は通過した駆動磁石５１の磁極の変化を検出することにより、磁極３１を交替に励磁すると同時に、第二誘導素子４１は通過した回転周波数磁石５２の磁極の変化を検出することにより、ロータ５０の回転の状況をシステムまで出力させる。
【００１９】
【実施形態２】
図４は本考案の実施形態２の両誘導素子を有するブラシレス直流モータによる分解斜視図で、図５は本考案の実施形態２の両誘導素子を有するブラシレス直流モータよる組立てられた状態の側面図である。
【００２０】
図４、５を参照すると、本考案における二個の実施形態の差異を分かり易くするべく、本考案の実施形態２においてその構造が実施形態１と同じ構造は同じ符号を採用して標示する。実施形態２の一部分の技術内容は実施形態１の説明内容において掲示されているため、ここでは参考にして再び詳細に説明しない。
【００２１】
再び図４、５を参照すると、本考案の実施形態２の両誘導素子を有するブラシレス直流モータには主にステータ３０、第一誘導素子４０、第二誘導素子４１およびロータ５０が含まれる。ステータ３０は軸方向巻線のタイプに属し、上磁極片３０ａ、下磁極片３０ｂおよび駆動部材３２が含まれる。上磁極片３０ａと下磁極片３０ｂはステータ３０の上、下側に位置され、そして共同で軸方向で対称になるように八個の磁極３１が形成される。
【００２２】
再び図４、５を参照すると、第一誘導素子４０と第二誘導素子４１は電性により駆動部材３２に連接される。ロータ５０には排列して円になるように駆動磁石５１と回転周波数磁極５２が設置される。駆動磁石５１の磁極の数は好ましくはステータ３０の磁極３１の数とは同じになるように形成される。回転周波数磁石５２は予定の磁極数の規格（四個）を有するように形成される。
【００２３】
再び図５を参照すると、ロータ５０がステータ３０に相対して回転した時、第一誘導素子４０は通過した駆動磁石５１の磁極の変化を検出することにより、磁極３１を交替に励磁すると同時に、第二誘導素子４１は通過した回転周波数磁石５２の磁極の変化を検出することにより、ロータ５０の回転の状況をシステムまで出力させる。
【００２４】
再び１、４、６、７を参照すると、従来のモータの回路には周波数分割器１３を増設しなければならないため、コストが高くなる。それに反して、本考案においては従来の周波数分割器１３の代わりに第二誘導素子４１を利用して第二誘導素子４１を回転周波数磁石５２に対応するように設置させることにより、周波数分割器１３による高いコストを減らすことができるため、生産コストを低く抑えることができる。
【００２５】
【考案の効果】
本考案の両誘導素子を有するブラシレス直流モータによれば、周波数分割器の代わりに誘導素子を利用し、誘導素子は対応するように回転周波数磁石に設置されることにより、周波数分割器のコストを減らすことができるため、生産コストを低く抑えることができるという利点がある。
【００２６】
本考案の両誘導素子を有するブラシレス直流モータによれば、誘導素子を利用して回転周波数磁石を検出することにより、モータの回転数の予定周波数規格を直接出力してシステムに応用させることができるため、回転数の信号を直接出力させることができるという利点がある。
【００２７】
本考案は、その精神及び必須の特徴事項から逸脱することなく他のやり方で実施することができる。従って、本明細書に記載した好ましい実施例は例示的なものであり、限定的なものではない。
【図面の簡単な説明】
【図１】本考案の実施形態１の両誘導素子を有するブラシレス直流モータによる分解斜視図である。
【図２】本考案の実施形態１の両誘導素子を有するブラシレス直流モータによる組立てられた状態の側面図である。
【図３】本考案のブラシレス直流モータのロータの磁極環による展開図である。
【図４】本考案の実施形態２の両誘導素子を有するブラシレス直流モータによる分解斜視図である。
【図５】本考案の実施形態２の両誘導素子を有するブラシレス直流モータによる組立てられた状態の側面図である。
【図６】従来の中華民国專利公告第４７９９０２号による回路図である。
【図７】従来の中華民国專利公告第４７９９０２号のブラシレス直流モータによる分解斜視図である。
【符号の説明】
１０　　駆動回路　　　　　　　　　　１１　　誘導素子
１２　　コイル　　　　　　　　　　　１３　　周波数分割器
１４　　ロータ　　　　　　　　　　１４１　　永久磁石
１４２　　中心軸　　　　　　　　　　　１５　　ステータ座
１６　　駆動部材　　　　　　　　　　３０　　ステータ
３０ａ　上磁極片　　　　　　　　　　３０ｂ　下磁極片
３１　　磁極　　　　　　　　　　　　３２　　駆動部材
４０　　第一誘導素子　　　　　　　　４１　　第二誘導素子
５０　　ロータ　　　　　　　　　　　５１　　駆動磁石
５２　　回転周波数磁石
【図１】
0003098275.tif 000003
【図２】
0003098275.tif 000004
【図３】
0003098275.tif 000005
【図４】
0003098275.tif 000006
【図５】
0003098275.tif 000007
【図６】
0003098275.tif 000008
【図７】
0003098275.tif 000009